(57)【要約】 【課題】  小型化で、平型導体の抜け防止を確実に図れる平型導体用電気コネクタを提供することを課題とする。【解決手段】複数の端子１２を配列保持する絶縁材のハウジング１１に、平型導体１のための受入空間１５Ｄが形成され、受入空間１５Ｄに挿入される平型導体１の接続部分と接触する端子１２の接触部１８Ａが配列され、ハウジング１１には端子１２の配列方向端部に金具１３が取り付けられ、加圧部材１４により平型導体１の接続部分と端子１２の接触部との接圧を高める平型導体用電気コネクタにおいて、金具１３は、ハウジング１１に取付けられる被取付部２３と、端子１２の配列範囲外で被取付部２３から平型導体１の側端面と平行に延びる腕部２４と、腕部２４から端子１２の配列方向内方へ延びる延出部２５とを有し、延出部２５が平型導体１の側縁部近傍まで延び、平型導体１の厚み方向で延出部２５が平型導体１と重複する範囲を有している。【選択図】  図１
2008027593.tif 000002
【特許請求の範囲】
【請求項１】
複数の端子を配列保持する絶縁材のハウジングに、平型導体のための受入空間が形成され、該受入空間に挿入される上記平型導体の接続部分と接触する端子の接触部が配列され、ハウジングには端子の配列方向端部に金具が取り付けられており、該接触部に対して上記平型導体の接続部分を配置した後に、ハウジング、端子そして金具のうちの少なくとも一つにより可動に支持された加圧部材を所定位置へ移動させることにより平型導体の接続部分と端子の接触部との接圧を高める平型導体用電気コネクタにおいて、上記金具は、ハウジングに取付けられる被取付部と、端子の配列範囲外で該被取付部から平型導体の側端面と平行に延びる腕部と、該腕部から端子の配列方向内方へ延びる延出部とを有し、該延出部が平型導体の側縁部近傍まで延びており、かつ、該平型導体の厚み方向で上記延出部が平型導体と重複する範囲を有していることを特徴とする平型導体用電気コネクタ。
【請求項２】
金具は、金属板を加工して作られており、腕部の板面が平型導体の側端面と平行で、延出部の板面が平型導体の接続部分の面と平行であることとする請求項１に記載の平型導体用電気コネクタ。
【請求項３】
延出部は、平型導体の側縁部に突出形成された耳部もしくは没入形成された凹部をなす係止段部と平型導体の厚み方向で重複する面が該係止段部の対応面と平行な係止面を有していることとする請求項１又は請求項２に記載の平型導体用電気コネクタ。
【請求項４】
係止段部が耳部によって形成され、金具は、延出部の基部に隣接して、腕部上縁に平型導体の耳部を収める溝部が形成されていることとする請求項３に記載の平型導体用電気コネクタ。
【請求項５】
延出部は、延出方向先端の端面が平型導体の側端面と平行な規制面を有していることとする請求項１に記載の平型導体用電気コネクタ。
【発明の詳細な説明】
【技術分野】
【０００１】
本発明は平型導体用電気コネクタに関する。
【背景技術】
【０００２】
平型導体としては、フレキシブル基板（ＦＰＣ）、フラットケーブル等が知られている。かかる平型導体は、回路基板に取りつけられた電気コネクタに接続されることが多い。
【０００３】
平型導体は、コネクタに接続されるべき先端部の接続部分の反対面に補強シートが粘着される。コネクタからの引き抜け防止効果を高めるために、この補強シートの両側縁に係止段部、例えば、耳部や切り欠き凹部を設け、コネクタの対応係止部材と係止し合うようにしている。
【０００４】
特許文献１では、コネクタのハウジングが平型導体を受入れる受入空間を有し、該受入空間の端子配列方向両端に凸部が設けられている。該凸部は、ハウジングの一部として該ハウジングと一体に形成されていて、平型導体の接続部分が上記受入空間へ所定深さまで挿入されたときに、該平型導体の側縁に突出して設けられた耳部と係止する位置に設けられている。
【０００５】
使用時には、平型導体はその接続部分が前方に向けて上記受入空間に挿入され、上記耳部が上記凸部を乗り越えて、上記平型導体の接続部分が受入空間内に入り込み、受入空間内に配置された端子の接触部上に位置するようになる。かかる位置で上記耳部の後面が上記凸部の前面と対向し、平型導体は不用意にその抜出方向へ引かれても、耳部と凸部が同方向で係止し合って平型導体は抜けることがない。また、特許文献１のコネクタは、平型導体を端子の接触部との接圧との接圧を高めるために、可動な加圧部材が設けられている。
【特許文献１】特開２００５−１１６４９５
【発明の開示】
【発明が解決しようとする課題】
【０００６】
かかる電気コネクタは、平型導体がきわめて細い導体を極小ピッチで可撓帯状に整列して一体化されているため、これに対応して端子が極小ピッチで配列されている。すなわち、端子の配列方向でのコネクタの小型化がなされている。
【０００７】
しかしながら、特許文献１のコネクタにあっては、平型導体の耳部と係止し合う凸部がハウジングと一体的に、すなわちハウジングと同材質の合成樹脂で作られており、平型導体の不用意な抜出力に抗するには、上記凸部は十分に大きなものでなくてはならない。この凸部は平型導体の側縁に隣接して設けられており、この凸部が大きくなるということは、端子の配列方向でのコネクタ寸法をそれだけ大きくしてしまうことを意味しており、同方向での上記小型化に対し逆行する。
【０００８】
本発明は、このような事情に鑑み、端子の配列方向でのコネクタの小型化を阻害することなく、平型導体の不用意な抜出力に十分対抗できる平型導体用電気コネクタを提供することを課題とする。
【課題を解決するための手段】
【０００９】
本発明は、複数の端子を配列保持する絶縁材のハウジングに、平型導体のための受入空間が形成され、該受入空間に挿入される上記平型導体の接続部分と接触する端子の接触部が配列され、ハウジングには端子の配列方向端部に金具が取り付けられており、該接触部に対して上記平型導体の接続部分を配置した後に、ハウジング、端子そして金具のうちの少なくとも一つにより可動に支持された加圧部材を所定位置へ移動させることにより平型導体の接続部分と端子の接触部との接圧を高める平型導体用電気コネクタに関する。
【００１０】
かかる平型導体用電気コネクタにおいて、本発明では、上記金具は、ハウジングに取付けられる被取付部と、端子の配列範囲外で該被取付部から平型導体の側端面と平行に延びる腕部と、該腕部から端子の配列方向内方へ延びる延出部とを有し、該延出部が平型導体の側縁部近傍まで延びており、かつ、該平型導体の厚み方向で上記延出部が平型導体と重複する範囲を有していることを特徴としている。
【００１１】
このような構成の本発明の電気コネクタにあっては、平型導体の側縁部に耳部や凹部をなす係止段部が形成されている場合、上記金具の延出部が平型導体の厚み方向で上記係止段部と重複して位置しているので、平型導体が所定位置への設定後に、後方、すなわち抜出方向へ不用意に引かれても、上記延出部の前面と係止段部の対応面が上記平型導体の厚み方向に互に重複する範囲で当接して、平型導体の抜出が阻止される。
【００１２】
上記延出部は金属なのでその強度は大きく、上記不用意な抜出方向の力に対し、寸法を大きくせずとも十分に対抗できる。これは、延出部の延出方向そして厚み方向についてに言えることである。したがって、延出部が平型導体の両側縁の近傍にまで延びて位置しても端子配列方向にコネクタが大型化されることはない。ましてや、上記厚み方向では、延出部は平型導体の厚さと重複しているので、この方向での大型化もない。
【００１３】
本発明において、金具は、金属板を加工して作られており、腕部の板面が平型導体の側端面と平行で、延出部の板面が平型導体の接続部分の面と平行となっているようにすることができる。すなわち、端子の配列方向での腕部の寸法そして平型導体の厚み方向での延出部の寸法のいずれもが上記金属板の厚さとすることができ、金属板の厚さは通常然程大きくないので、コネクタは大型化されない。しかも、延出部はその板面に平行な方向で、平型導体からの力を受けるので、この力に対する剛性が大きく強度は十分である。
【００１４】
延出部は、平型導体の側縁部に突出形成された耳部もしくは没入形成された凹部をなす係止段部と平型導体の厚み方向で重複する面が該係止段部の対応面と平行な係止面を有していることが望ましい。こうすることにより、延出部の係止面は平型導体の係止段部と面接触する。したがって、平型導体を不用意に抜出しようとする力が多少大きくとも、延出部の係止面そして係止段部の対応面での応力は小さくなる。
【００１５】
係止段部が耳部によって形成されている場合と対応するように、金具は、延出部の基部に隣接して、腕部上縁に平型導体の耳部を収める溝部が形成されていることが好ましい。係止段部は、最も単純な形態の耳部として形成されることが多く、これに対応しやすくするためである。耳部が溝部に収容されると、その位置が安定すると共に、延出部の前面との接触面積も大きくなる。
【００１６】
本発明において、延出部は、延出方向先端の端面が平型導体の側端面と平行な規制面を有していることが好ましい。平型導体は耳部等の係止段部が形成されていないものもあり、このような平型導体に対しては、上記規制面は平型導体をその幅方向、すなわち端子配列方向で位置規制をして、平型導体を同方向で正規位置のもとに端子の接触部上にもたらす。
【発明の効果】
【００１７】
本発明は、以上のように、ハウジングに金具を取りつけ、該金具の腕部から延出する延出部が、平型導体の側縁部と係止するようにしたので、金具が高強度であるが故に、平型導体の不用意な抜出力に対して、小さな金具でもこの抜出力に十分に対抗でき、ひいては、コネクタの端子配列方向での小型化に貢献する。
【発明を実施するための最良の形態】
【００１８】
以下、添付図面にもとづき、本発明の実施の形態を説明する。
【００１９】
本実施形態のコネクタの全体を示す図１及び図２において、コネクタ１０へ矢印Ａで示される前方に挿入されて接続される平型導体１は、導体自体の図示が省略されているが、図にてＸ方向に延びる多数の細い導体が隣接して上記Ｘ方向に直角なＹ方向に配列された状態で一体化され帯状ケーブル体２をなしている。該平型導体１は先端（右端）下面で各ケーブルが露呈して接続部分を形成しており、上面には補強シート３が貼着されている。かかる平型導体１の補強シート３の先端側の両側縁には、耳状の係止段部４が形成されている。なお、図１は後述の加圧部材１４が開位置、図２は閉位置にある状態を示している。  
【００２０】
この平型導体１が接続される電気コネクタ１０は、回路基板（図示せず）上に配置される電気絶縁材のハウジング１１と、該ハウジング１１により配列保持された複数の平板状の端子１２と、端子配列方向で両側端部に位置する端子に隣接してハウジング１１に取付けられた金具１３と、端子１２そしてハウジング１１により回動自在に支持されている絶縁材の加圧部材１４とを有している。
【００２１】
端子１２の位置にてその板面に平行な面での断面図である図３及びハウジング１１の上壁１１Ｂの一部と加圧部材１４の一部分を破断した平面図である図４に見られるように、ハウジング１１には端子収容溝１５が形成されている。該端子収容溝１５は、金属板から作られた平状の端子１２の板厚に相当する溝幅のスリット状に形成され、図３において紙面に平行な面に延び、紙面に対して直角な方向に定ピッチで複数形成されいる（図４をも参照）。上記端子収容溝１５は、図３にて、左端側で左方に、左半部にて上方に、右端側にて右方に、それぞれ開口された、左部開口１５Ａ，上部開口１５Ｂそして右部開口１５Ｃを有している。複数の端子収容溝１５の上部開口１５Ｂは紙面に直角方向に連通している。      
【００２２】
上記ハウジングの端子収容溝１５に収容される端子１２は、金属板を外形加工して平板状に作られており、図３に見られるように、右部開口１５Ｃに圧入される取付部１６、この取付部１６に対して逆方向で左方に延びる接続腕１７、この接続腕１７より上方で該接続腕１７に平行に延びる接触腕１８、取付部１６から上方に延びた後に屈曲して左方に延びる支持腕１９を有している。
【００２３】
端子１２は、加圧部材１４が未だ取りつけられていない状態で、図３にて、左方から上記端子収容溝１５へ挿入され、取付部１６が右部開口１５Ｃに進入し、該取付部１６に設けられた爪部１６Ａが上記右部開口１５Ｃの上壁面に食い込んで、抜けの防止を図っており、又、接続腕１７の左部で下方に突出する接続部１７Ａの右縁に形成された固定溝１７Ｂがハウジング１１の底壁の左端に嵌着され、ここでも端子１２はハウジング１１により保持される。上記接続部１７Ａの下縁はハウジング１１の下壁１１Ａの底面よりも若干下方に出ていて回路基板上での対応接続回路部との半田接続を確実にしている。
【００２４】
接触腕１８は、比較的短いが細く形成されていて、図３にて上下方向に撓み弾性を有し、先端には上方に向けた突部状の接触部１８Ａが設けられている。
【００２５】
支持腕１９は、上縁がハウジング１１の上壁１１Ｂの内面に近接しており、先端側が上記上壁１１Ｂよりも先方に延出して上部開口１５Ｂの位置にまで及んでいる。この支持腕１９の先端側は逆Ｕ字状に屈曲され、その溝部が加圧部材１４のための回動支持部２０を形成している。この先端側は、上部開口１５Ｂ内にあって、可撓性を有している。
【００２６】
上記接触腕１８と支持腕１９との間では、上記端子収容溝１５は、図３において、紙面に直角方向に連通していて、左方から平型導体を挿入可能とする受入空間１５Ｄを形成している。  
【００２７】
加圧部材１４は、図１、図２そして図４に見られるような平板状、図３で見るとレバー状をなしている。この加圧部材１４は端子１２の配列範囲を十分にカバーする幅を有している。該加圧部材１４は、図３に見られるように平型導体１の先端部（接続部分）を端子１２の接触部１８Ａ上に位置するように左部開口１５Ａから挿入することを可能とする空間を形成している開位置から、図２に見られる水平姿勢をとる閉位置へと回動可能に支持されている。この加圧部材１４は、端子１２の回動支持部２０により、回動支持されている。
【００２８】
加圧部材１４は、端子１２の配列方向で該端子１２に対応する位置にスリット状の溝２１が形成されていて、端子１２の支持腕１９の先端部の進入を許容している。この溝２１内には図３のごとく、島状の軸部２２が設けられていて、この軸部２２が端子１２の回動支持部２０で回動案内される（図４をも参照）。又、加圧部材１４は、上記軸部２２の近傍に突部が形成されていて、ここが回動時に平型導体を圧する加圧部２３を形成している。本実施形態では、加圧部材１４は、上記軸部２２のみならず、図４にて両端（図４では右端側のみ図示）に設けられた副軸部２２Ａでハウジング１１の対応支持部１１Ｃによっても回動可能に支持されている。なお、この加圧部材の可動支持は、端子１２、ハウジング１１、金具１３の少なくとも一つで行なうことができる。
【００２９】
本実施形態では、図１、図２、そして図４に見られるように、金具１３が、ハウジング１１に取り付けられている。
【００３０】
この金具１３は、本実施形態の場合、金属板を加工して作られており、ハウジング１１へ取付けられる被取付部２３（図４参照）と、該被取付部２３から後方に延びる腕部２４と、該腕部２４の後部から屈曲形成された延出部２５とを有している。上記被取付部２３は、上記腕部２４の前方に延びていて、例えばハウジングの対応取付溝１１Ｄへ圧入取付けされる。この対応取付溝１１Ｄは受入空間との間に強度を保つのに十分な厚みのハウジング部分を確保した位置に形成されている。
【００３１】
上記腕部２４は、端子１２の配列範囲外で上記被取付部２３から後方へ向けハウジング１１外に延びており、該腕部２４の板面が平型導体の側端面と平行、そして端子１２の板面と平行となっている。かかる腕部２４の上端縁には、下述の延出部２５に隣接して溝部２４Ａが形成されている。この溝部２４Ａは、記述の平型導体１の耳状の係止段部４を収めるのに適した大きさとなっている。
【００３２】
上記延出部２５は、図１そして図２にみられるように、腕部２４の後端側から起立した後に端子１２の配列範囲の内側に向け屈曲されて、該延出部２５の板面が平型導体の面と平行なるように延び、その先端部が下方に屈曲されている。該先端部は、好ましい形態として、ハウジング上面１１Ｅに設けた凹部１１Ｆ内に位置している。こうすることにより上記ハウジング上面１１Ｅ上に配された平型導体はその係止段部が延出部の前面と確実に係止する。図４での一点鎖線Ｐで示されるように、この延出部２５の延出方向先端面（規制面２５Ｂ）は平型導体１の側端縁が接する受入空間１５Ｄの内側壁面と上記延出方向でほぼ一致する位置にある。この延出部２５は、平型導体１がコネクタに対し正規位置に挿入配置されたときに、該平型導体１の補強シート３とその厚み方向で重複する位置に設けられている。したがって、上記平型導体１が正規位置まで挿入されて、その耳状の係止段部４が、金具１３の腕部２４に形成された溝部２４Ａに収められると、該係止段部４の後面が上記延出部２５の複数の前面で形成された係止面２５Ａと対面するようになる。又、この延出部２５の延出方向先端面で形成された規制面２５Ｂは、平型導体１の側端面と対面する。又、上記延出部２５から腕部２４にかけて、上記金具１３の下端縁には、回路基板へ半田により固定取付けがなされる固定部１３Ａが形成されている。
【００３３】
次に、このような実施形態のコネクタの使用要領について説明する。
【００３４】
（１）先ず、コネクタ１０を回路基板（図示せず）上の所定位置に配し、端子１２の接続部１７Ａを対応回路部に半田接続すると共に、金具１３の固定部１３Ａを回路基板の対応部に半田固定する。又、一方では、上記コネクタ１０に接続される平型導体１を準備する。平型導体１は、補強シート３を設ける前における幅（端子配列方向）寸法が、同方向両端の金具１３の延出部２５の規制面２５Ｂ同士間の間隔とほぼ同じものが用意され、この平型導体の先端側の下面で導体が露呈され、上面に補強シート３が取りつけられて、接触部分を形成する。補強シート３は、その幅が平型導体１の幅とほぼ同じであるが、一部にて耳状に突出していて係止段部４が設けられている。この係止段部４の突出量は、平型導体１がコネクタの正規位置へ挿入されたとき、コネクタの金具１３の腕部２４に形成された溝部２４Ａにまで達し、ここに収められる形状そして寸法に形成される。  
【００３５】
（２）次に、加圧部材１４を図１そして図３に示される開位置にもたらし、コネクタの左部開口１５Ａを大きく開口しておく。
【００３６】
（３）次に、平型導体１を上方及び矢印Ａ方向の斜め上方向からに挿入して、その耳状の係止段部４が金具１３の延出部２５を乗り越えて溝部２４Ａに収めるように配置する。係止段部４が溝部２４Ａに収まると、平型導体１の接続部分の下面で露呈せるケーブルは、自ずと端子１２の接触部１８Ａ上に位置するようになる。この時点で、平型導体１は後方に向けて力を受けても、上記係止段部４が溝部２４Ａから外れていない限り、抜出されることはない。
【００３７】
（４）しかる後、加圧部材部材１４を、図２に見られる閉位置へと回動する。加圧部材１４は、その加圧部２３により平型導体１を端子１２へ圧しその接触部１８Ａと接圧を高めた状態で電気的に接続される。このとき、加圧部材１４は、平型導体１の上部に至近しているため、平型導体１は、コネクタ１０と電気的に確実に接続され、且つコネクタ１０からの浮き上がりが防止される。
【００３８】
（５）平型導体１はその係止段部４の後縁が金具１３の延出部２５の前縁の板厚面である係止面２５Ａ、すなわち溝部２４Ａの後縁と対向しており、加圧部材１４の開状態時で平型導体１が挿入直後の状態にあっても、閉状態で平型導体１が端子１２と接続状態にあっても、平型導体１が後方に引かれた際に、係止段部４が延出部２５の板厚面に当接して抜けることが阻止されることは勿論、接触部１８Ａと平型導体１の導体との電気的接触を維持する正規の位置からずれることもない。
【００３９】
（６）次に、平型導体１が補強シート３に耳部等の係止段部を有していないまま使用される場合もあり、かかる場合には、図５のように、平型導体１そして補強シート３の幅を金具１３の延出部２５同士間距離の寸法として設定あるいは選定する。
【００４０】
平型導体１の幅が上記距離と同じであって耳部等の係止段部を有していないときには、加圧部材１４を開位置にもたらした状態で、平型導体１をコネクタ内に挿入すると平型導体１はその側縁で上記延出部２５の規制面２５Ｂに案内されつつ幅方向で正規位置に保たれて挿入される。しかる後、加圧部材１４を、図５に示される閉位置へ回動し、平型導体１を端子１２へ圧する。
【００４１】
又、平型導体１の幅が上記距離よりも小さいときには、平型導体１に取付けられる補強シート３を上記距離の寸法とすることができる。この場合、補強シートに耳部等の係止段部を設ければ、抜け防止が万全となるし、設けないときでも、挿入時に上記規制面で案内されて幅方向の位置出しがなされる。
【００４２】
このように、延出部は、平型導体に係止段部が設けられている場合、そして設けられていない場合のどちらでも、兼用して有効に作用する。
【００４３】
本発明は、図示された形態に限定されず、種々変更が可能である。例えば、平型導体の係止段部は図示された耳状部のものではなくとも、平型導体の側縁に形成された凹部であってもよい。要は、延出部の前面と係止する後面をもつ段状部分が係止段部として設けられていれば十分である。
【００４４】
金具の延出部は、図示の形態のごとく金属板を屈曲形成したものでなくとも、金具が金属部材であって、平型導体とその厚み方向で重複していれば良い。すなわち、部分的にでも延出部の前面が平型導体に貼着された補強シートの係止段部の後面と、前後方向で対面していれば良い。すなわち、延出部はきわめて単純な平板状でも、図示の形態のように延出方向先端が屈曲されていても良く、さらには、延出方向に延びる前方側縁を屈曲していても良い。例えば、腕部や溝部よりも高さ方向に大きく形成された延出部の先端側を後方、すなわち、ハウジング内方に向けて屈曲させたり、あるいはハウジング内方に向けて屈曲させてからさらに腕部の方に向けて屈曲させて延出部を形成することもできる。
【図面の簡単な説明】
【００４５】
【図１】本発明の一実施形態としてのコネクタの全体を示す斜視図で、加圧部材が開位置にあり、平型導体の挿入前を示す。
【図２】図１のコネクタで、平型導体の挿入後、加圧部材が閉位置にある状態での斜視図である。
【図３】図１のコネクタの端子に平行な面でのこのコネクタの断面図で、加圧部材が開位置にある状態を示す。
【図４】図１のコネクタの部分破断平面図で、加圧部材が閉位置にあり、平型導体を省略して示してある。
【図５】図２に対応する図で、平型導体が係止段部を有していない場合を示している。
【符号の説明】
【００４６】
１  平型導体                    １８Ａ  接触部                                
４  係止段部                    ２３  被取付部  
１０  コネクタ                  ２４  腕部
１１  ハウジング                ２４Ａ  溝部
１２  端子                      ２５  延出部                      
１３  金具                      ２５Ａ  係止面
１４  加圧部材                  ２５Ｂ  規制面
１５Ｄ  受入空間
【図１】
2008027593.tif 000003
【図２】
2008027593.tif 000004
【図３】
2008027593.tif 000005
【図４】
2008027593.tif 000006
【図５】
2008027593.tif 000007